(57)【要約】【課題】壁パネルで囲まれる室内から天井パネルを押し上げて壁パネル上端部と天井パネルの端部とを結合させることができる天井パネル設置構造及び工法を提供する。【解決手段】室１８内において天井パネル３０が略水平状態を保ったまま押し上げられ、該天井パネル３０側の係合片４０と壁パネル１０側の支持片２０とを係合させることにより、天井パネル３０の端部を壁パネル１０の上端に係合させる。係合片４０は、長方形状の水平な基板４２と、該基板４２の壁パネル１０側の長側辺から曲折形成され、下方に垂下する垂下板４４と、基板４２の他方の長側辺から曲折形成されて上方に起立する起立板４６と、該起立板４６の上端に連なり、斜め下方に延在する斜板４８と、該斜板４８の下端に連なる当接板５０を有する。【選択図】図４
2006299707.tif 000002
【特許請求の範囲】
【請求項１】
室の天井を構成する天井パネルの端部が該室の壁パネルの上端部に支持されている天井パネル設置構造において、
該天井パネルは、室内にて押し上げられて設置されたものであり、
該壁パネルの上端部から室内側へ天井パネル支持用の支持片が張り出しており、
該天井パネルの上面側に、該天井パネルが押し上げられたときに該支持片に係合した係合片が設けられていることを特徴とする天井パネル設置構造。
【請求項２】
請求項１において、該係合片には、該支持片に当接して天井パネルの板央側へ弾性的に退動し、その後、該支持片よりも上位にまで上昇することにより復位して支持片に上側から係合した弾性変形可能部が設けられていることを特徴とする天井パネル設置構造。
【請求項３】
請求項２において、前記係合片は、
天井パネルに固着された水平な基板と、
該基板から立ち上がる起立板と、
該起立板の上部から斜め下方に延出した斜板と、
該斜板の下端から該起立片に向って延出し、前記支持片に当接した当接板と
を有しており、少なくとも該斜板が前記退動方向に弾性変形可能であることを特徴とする天井パネル設置構造。
【請求項４】
請求項３において、前記天井パネルは、
室内天井部を構成する主板と、
該主板の周縁から立ち上がる縦板と、
該縦板の上端から主板中央側へ張り出す横板と
を備えており、
前記係合片の前記基板が該横板の下面に当接し、
該横板の上面に押えプレートが重ね合わされ、
該押えプレートが該基板に固着具により固着され、該押えプレートと該基板とによって該横板を挟み付けることによって該係合片が該天井パネルに固着されていることを特徴とする天井パネル設置構造。
【請求項５】
請求項４において、前記係合片には、前記基板の辺縁に連なり、天井パネルの前記縦板の内側面に沿って垂下した垂下板が設けられており、
前記押えプレートには、天井パネルの該縦板の外側面に沿って垂下した当て部が設けられており、
該基板及び該押えプレートは、それぞれ前記横板よりも天井パネル板央側に延出しており、これらの天井パネル板央側に延出した部分同士が前記固着具によって固着されていることを特徴とする天井パネル設置構造。
【請求項６】
請求項１ないし５のいずれか１項において、前記天井パネルの下面は前記壁パネルの上端よりも下位に位置しており、
該天井パネルの側面が壁パネルの上部の室内面に対峙し、且つ両者の間に下方に向って開放した間隙が存在することを特徴とする天井パネル設置構造。
【請求項７】
室の天井を構成する天井パネルの端部を該室の壁パネルの上端部に支持させる天井パネル設置工法において、
該壁パネルの上端部から室内側へ天井パネル支持用の支持片を張り出しておくと共に、
該天井パネルの上面側に、該支持片に対し係合する係合片を設けておき、
該天井パネルを該室内にて略水平状態を保ったまま押し上げ、該係合片を前記支持片に係合させることにより天井パネルの端部を壁パネルの上端部に支持させることを特徴とする天井パネル設置工法。
【発明の詳細な説明】
【技術分野】
【０００１】
本発明は、ユニットバスルーム等において天井パネルを設置するための構造及び工法に関するものであり、特にユニットルーム等の室内側から天井パネルを設置する構造及び工法に関するものである。
【背景技術】
【０００２】
ユニットルームは、周知の通り、防水パンの周縁に壁パネルを建て込み、壁パネルの上端間に天井パネルを設置することにより構築される。
【０００３】
壁パネルを建て込んだ後、天井パネルを設置して壁パネルに留め付ける場合、ユニットルームの室外側にてこの留め付け作業を行うことは、壁裏スペースが小さいところから、作業効率が低い。
【０００４】
室外側での壁パネルと天井パネルとの連結作業を不要にする工法として、特開平９−２７３３２０号公報の図４に、壁パネルの上端に「く」字形のバネ部を有した押え金具を立設しておき、天井パネルを上方から壁パネル上に載設し、この際、天井パネルの端部を該バネ部で固定するものが記載されている。
【特許文献１】特開平９−２７３３２０号公報
【発明の開示】
【発明が解決しようとする課題】
【０００５】
上記特開平９−２７３３２０号公報の工法では、壁パネルを建て込んだ後、天井パネルを壁パネルの上側に配置し、次いで天井パネルを下降させるようにしているところから、建て込まれた壁パネルの上側に天井パネルを配置する作業工程が必要である。
【０００６】
本発明は、壁パネルで囲まれる室内から天井パネルを押し上げて壁パネル上端部と天井パネルの端部とを結合させることができる天井パネル設置構造及び工法を提供することを目的とする。
【課題を解決するための手段】
【０００７】
請求項１の天井パネル設置構造は、室の天井を構成する天井パネルの端部が該室の壁パネルの上端部に支持されている天井パネル設置構造において、該天井パネルは、室内にて押し上げられて設置されたものであり、該壁パネルの上端部から室内側へ天井パネル支持用の支持片が張り出しており、該天井パネルの上面側に、該天井パネルが押し上げられたときに該支持片に係合した係合片が設けられていることを特徴とするものである。
【０００８】
請求項２の天井パネル設置構造は、請求項１において、該係合片には、該支持片に当接して天井パネルの板央側へ弾性的に退動し、その後、該支持片よりも上位にまで上昇することにより復位して支持片に上側から係合した弾性変形可能部が設けられていることを特徴とするものである。
【０００９】
請求項３の天井パネル設置構造は、請求項２において、前記係合片は、天井パネルに固着された水平な基板と、該基板から立ち上がる起立板と、該起立板の上部から斜め下方に延出した斜板と、該斜板の下端から該起立片に向って延出し、前記支持片に当接した当接板とを有しており、少なくとも該斜板が前記退動方向に弾性変形可能であることを特徴とするものである。
【００１０】
請求項４の天井パネル設置構造は、請求項３において、前記天井パネルは、室内天井部を構成する主板と、該主板の周縁から立ち上がる縦板と、該縦板の上端から主板中央側へ張り出す横板とを備えており、前記係合片の前記基板が該横板の下面に当接し、該横板の上面に押えプレートが重ね合わされ、該押えプレートが該基板に固着具により固着され、該押えプレートと該基板とによって該横板を挟み付けることによって該係合片が該天井パネルに固着されていることを特徴とするものである。
【００１１】
請求項５の天井パネル設置構造は、請求項４において、前記係合片には、前記基板の辺縁に連なり、天井パネルの前記縦板の内側面に沿って垂下した垂下板が設けられており、前記押えプレートには、天井パネルの該縦板の外側面に沿って垂下した当て部が設けられており、該基板及び該押えプレートは、それぞれ前記横板よりも天井パネル板央側に延出しており、これらの天井パネル板央側に延出した部分同士が前記固着具によって固着されていることを特徴とするものである。
【００１２】
請求項６の天井パネル設置構造は、請求項１ないし５のいずれか１項において、前記天井パネルの下面は前記壁パネルの上端よりも下位に位置しており、該天井パネルの側面が壁パネルの上部の室内面に対峙し、且つ両者の間に下方に向って開放した間隙が存在することを特徴とするものである。
【００１３】
請求項７の天井パネル設置工法は、室の天井を構成する天井パネルの端部を該室の壁パネルの上端部に支持させる天井パネル設置工法において、該壁パネルの上端部から室内側へ天井パネル支持用の支持片を張り出しておくと共に、該天井パネルの上面側に、該支持片に対し係合する係合片を設けておき、該天井パネルを該室内にて略水平状態を保ったまま押し上げ、該係合片を前記支持片に係合させることにより天井パネルの端部を壁パネルの上端部に支持させることを特徴とするものである。
【発明の効果】
【００１４】
本発明では、室内側から天井パネルを押し上げ、壁パネル側の支持片と天井パネル側の係合片とを係合させて天井パネルを設置する。
【００１５】
この支持片は、壁パネル上端に設けられ、室内側に張り出している。天井パネルを押し上げていくと、この係合片が支持片に係合し、天井パネルが壁パネルに支持される。
【００１６】
本発明の一態様（請求項２）では、該係合片に、該支持片に当接して天井パネルの板央側へ弾性的に退動し、その後、該支持片よりも上位にまで上昇することにより復位して支持片に上側から係合する弾性変形可能部が設けられている。この態様では、天井パネルを上下左右に動かして係合片を支持片に合せる必要がなく、天井パネルを下から上へ持ち上げるのみでよいため施工が容易である。
【００１７】
請求項３の通り、この係合片が、天井パネルに固着された水平な基板と、該基板から立ち上がる起立板と、該起立板の上部から斜め下方に延出した斜板と、該斜板の下端から該起立片に向って延出し、前記支持片に当接した当接板とを有しており、少なくとも該斜板が前記退動方向に弾性変形可能であるように構成されている場合、天井パネルを押し上げていくと、まずこの斜板が支持片に当接して天井パネル板央側へ退動する。そして、この斜板が支持片を通り越すと、該斜板が支持片の上側へ復位し、支持片に対し上側から係合する。
【００１８】
この場合、請求項４の通り、天井パネルは、室内天井部を構成する主板と、該主板の周縁から立ち上がる縦板と、該縦板の上端から主板中央側へ張り出す横板とを備えており、前記係合片の前記基板が該横板の下面に当接し、該横板の上面に押えプレートが重ね合わされ、該押えプレートが該基板に固着され、該押えプレートと該基板とによって該横板を挟み付けることによって該係合片が該天井パネルに固着されている構成とすることが好ましい。
【００１９】
この構成によると、天井パネルの横板が係合片の基板に対し上側から重なるようになり、天井パネルの荷重が固着具を介することなく壁パネルに伝達されることになる。このため、天井パネルが壁パネルにしっかりと支持される。
【００２０】
このように押えプレートを用いる場合、請求項５の通り、係合片には、前記基板の辺縁に連なり、天井パネルの前記縦板の内側面に沿って垂下した垂下板が設けられており、前記押えプレートには、天井パネルの該縦板の外側面に沿って垂下した当て部が設けられており、該基板及び該押えプレートは、それぞれ前記横板よりも天井パネル板央側に延出しており、これらの天井パネル板央側に延出した部分同士が前記ビスによって固着されている構成とすることが好ましい。
【００２１】
この構成によると、係合片の垂下板を縦板の内側面に当てることにより、係合片が位置決めされる。また、押えプレートの当て部を縦板の外側面に当てることにより、押えプレートの位置決めが行われる。そのため、係合片及び押えプレートにそれぞれビス孔を設けておき、このビス孔が同軸状となるように押えプレートと係合片とで横板を上下から挟み、次いで両者をビス留めして係合片を天井パネルに容易に固定することができる。
【００２２】
また、ビスを横板に打たないので、横板のビス痕による腐食が防止される。
【００２３】
本発明では、請求項６の通り、天井パネルの下面は前記壁パネルの上端よりも下位に位置しており、該天井パネルの側面が壁パネルの上部の室内面に対峙し、且つ両者の間に下方に向って開放した間隙が存在する構成とすることが好ましい。この間隙は、５〜１２ｍｍ程度が好適である。
【００２４】
かかる間隙を設けることにより、天井パネルを押し上げる際に天井パネルが壁パネルに当たることが防止される。また、天井パネル設置後は、壁パネルの室内面が間隙内に入り込んで上方に連続する構造となるので、見栄えが良好となる。また、シーリングをこの天井隅部に打つことが不要となる。
【発明を実施するための最良の形態】
【００２５】
以下、図面を参照して実施の形態について説明する。第１図は実施の形態に係る天井パネル設置構造及び工法に用いられる天井パネル、係合片及び押えプレートの分解斜視図、第２図は同断面図、第３図は係合片を取り付けた天井パネルの断面図、第４図は天井パネルの取り付け途中の断面図、第５図は天井パネル設置構造を示す断面図である。
【００２６】
第４図の通り、この実施の形態ではタイル張り壁パネル１０が建て込まれることによりユニットバスルームの室１８が区画形成されている。この室１８内において天井パネル３０が略水平状態を保ったまま押し上げられ、該天井パネル３０側の係合片４０と壁パネル１０側の支持片２０とを係合させることにより、第５図の通り天井パネル３０の端部を壁パネル１０の上端に係合させる。
【００２７】
壁パネル１０は、アルミ等の角材を枠状に組み合わせてなるフレーム１２と、該フレーム１２の前面に固着されたセメント系下地板１４と、この下地板１４に張り付けられたタイル１６とを有している。この壁パネル１０は、浴室床を構成する防水パン（図示略）の辺縁上に立設されている。
【００２８】
支持片２０は、室１８側へ水平に張り出す張出部２０ａと、該張出部２０ａの後端側から垂下する立ち下り部２０ｂとを有したＬ字形金具であり、ビス２２によってフレーム１０の上枠部１２ａに固着されている。
【００２９】
第１図〜第３図にも明示される通り、天井パネル３０は、該天井パネル３０の下面全体を構成する鋼板よりなる主板３２と、該主板３２の周縁から立設された縦板３４と、該縦板３４の上端から天井パネルの板央側へ折り返された横板３６と、主板３２の上面側に固着された断熱補強材３８とを有する。なお、縦板３４及び横板３６は、主板３２を構成する鋼板の周縁を曲折することにより形成されている。
【００３０】
係合片４０は、長方形状の水平な基板４２と、該基板４２の壁パネル１０側の長側辺から曲折形成され、下方に垂下する垂下板４４と、基板４２の他方の長側辺から曲折形成されて上方に起立する起立板４６と、該起立板４６の上端に連なり、斜め下方に延在する斜板４８と、該斜板４８の下端に連なる当接板５０を有する。なお、起立板４６の上端は壁パネル１０側に延出した水平部４６ａとなっており、斜板４８は該水平部４６ａに連なり、壁パネル１０側へ向って延在している。斜板４８の下端は、当接板５０の一辺から立ち上がる鉛直部５０ａに連なっている。当接板５０の他辺からは下方に折曲部５０ｂが垂設されている。なお、前記基板４２の起立板４６近傍にビス孔５２が穿設されている。
【００３１】
この係合片４０を取り付けるために押えプレート６０が用いられている。この押えプレート６０は、長方形板状の水平部６２と、該水平部６２の一長側辺から垂下する当て部６４とを有したＬ字形の金具である。この水平部６２の他方の長側辺に沿って、下方に凸曲した凸曲部６２ａが設けられている。この凸曲部６２ａの下方への突出高さは、横板３６の厚みと同等となっている。この凸曲部６２ａの近傍にビス挿通孔６６が設けられている。
【００３２】
係合片４０を天井パネル３０に取り付けるには、その基板４２を横板３６の下側に差し込み、垂下板４４を縦板３４の内側面に当接させる。また、押えプレート６０の水平部６２を横板３６の上面に重ね、当て部６４を縦板３４の外側面に当接させる。
【００３３】
それぞれ長方形状の押えプレート６０の水平部６２と基板４２とは、その長手方向の長さが同一となっており、それらの短手辺同士を揃えると、ビス挿通孔６６とビス孔５２とが同軸状に重なるように孔６６，５２が設けられている。
【００３４】
また、これらの長方形状の水平部６２と基板４２の短手方向の長さは、横板３６の幅（縦板３４と直交方向の幅）よりも大となっている。そのため、第３図〜第５図の通り、垂下部４４及び当て部６４を縦板３４に当接させた状態においては、基板４２及び水平部６２は横板３６から天井パネル板央側へ張り出している。ビス挿通孔６６及びビス孔５２はいずれもこれらの横板３６よりも板央側へ張り出した位置に設けられている。
【００３５】
このビス挿通孔６６を通してビス７０をビス孔５２に螺じ込むことにより、横板３６が押えプレート６０と基板４２とによって強力に挟持され、係合片４０が天井パネル３０に堅固に固着される。
【００３６】
このように係合片４０を天井パネル３０に固着した後、横板３６の上面に、縦板３４側の辺縁に沿って、発泡ゴム等よりなる防湿パッキン８０（第４，５図）を接着剤や粘着剤によって貼り付ける。なお、押えプレート６０を取り付けた部分では、防湿パッキン８０は、水平部６２上を横切るように連続して設けられる。
【００３７】
この係合片４０及び防湿パッキン８０付きの天井パネル３０を室１８内において水平状態とし、上方に押し上げる。
【００３８】
そうすると、第４図〜第５図の如く係合片４０の斜板４８が支持片２０の張出部２０ａ先端に当たり、室内側（第４図の右方向）に退動する。この際、起立片４６も若干右方向に退動する。天井パネル３０がさらに押し上げられ、当接板５０が支持片２０よりも上位になると、斜板４８が元の形状に復元し、第５図の通り当接板５０が支持片２０の上側に配置される。これにより、天井パネル３０が係合片４０を介して支持片２０に載荷され、壁パネル１０の上端に取り付けられる。
【００３９】
なお、防湿パッキン８０は支持片２０と横板３６との間で押し縮められ、室１８を封隔する。また、折曲部５０ｂが張出部２０ａの先端面に対峙することにより、天井パネル３０の水平方向の動きが拘束される。
【００４０】
第５図の通り、天井パネル３０の荷重は横板３６から基板４２に対し上側から加えられる。このため、ビス７０には抜け方向の負荷はかからない。なお、このビス７０は横板３６を貫いておらず、ビス穿孔部からの腐食発生が無い。
【００４１】
第５図の通り、壁パネル１０に取り付けられた天井パネル３０と壁パネル１０の室内面との交叉隅部には、例えば５〜１２ｍｍ程度の、室内に向って開放する間隙Ｃが延在する。タイル１６は、この間隙Ｃの奥まで延在するので、壁パネル１０と天井パネル３０との交叉隅部の見栄えが極めて良好となる。また、この交叉隅部にシーリングを打つことが不要となる。
【００４２】
上記実施の形態では、タイル張り壁パネル１０が採用されているが、例えばフレームにガラスを嵌め込んだ壁パネル等を採用してもよい。また、弾性変動可能部として斜板を用いたが階段状になっていてもよい。
【００４３】
本発明では、ビス７０の代わりにピン、ボルトなどを用いてもよい。
【図面の簡単な説明】
【００４４】
【図１】実施の形態に係る天井パネル設置構造及び工法に用いられる天井パネル、係合片及び押えプレートの分解斜視図である。
【図２】実施の形態に係る天井パネル設置壁パネル及び工法に用いられる天井パネル、係合片及び押えプレートの断面図である。
【図３】係合片を取り付けた天井パネルの断面図である。
【図４】天井パネルの取り付け途中の断面図である。
【図５】天井パネル設置構造を示す断面図である。
【符号の説明】
【００４５】
１０  壁パネル
１８  室
２０  支持片
３０  天井パネル
３２  主板
３４  縦板
３６  横板
４０  係合片
４２  基板
４４  垂下板
４６  起立板
４８  斜板
５０  当接板
６０  押えプレート
８０  防湿パッキン
【図１】
2006299707.tif 000003
【図２】
2006299707.tif 000004
【図３】
2006299707.tif 000005
【図４】
2006299707.tif 000006
【図５】
2006299707.tif 000007